(57)【要約】      （修正有）【課題】装置本体の複雑化による生産性の低下や、装置本体の大型化を招くことなく、光学走査ユニットを高精度に保持することができ、色ずれの少ない高品質の画像が得られる画像形成装置を提供する。【解決手段】光学走査装置５に設けられ、光学走査装置５の組付けの際にガイド部材によりガイドされる光学走査装置５の挿入方向に平行な方向に突出した位置決めピン５ｇと、枠体に設けられ位置決めピン５ｇに嵌合する位置決め穴２９ａとを備え、光学走査装置５がガイド部材によりガイドされながら挿入方向に移動することで位置決めピン５ｇと位置決め穴２９ａが嵌合し、さらに光学走査装置５が枠体の突き当て部２９ｂに突き当たることで、光学走査装置５が位置決めされ、位置決めされた光学走査装置５と枠体がビス４４により締結されることで、光学走査装置５が枠体に組付けられている。【選択図】図４
2014119540.tif 000002
【特許請求の範囲】
【請求項１】
像担持体の表面に対してレーザ光を出射する光学走査ユニットと、
前記光学走査ユニットが位置決めされて組付けられる枠体であって、前記光学走査ユニットの組付けの際に前記光学走査ユニットを組付け位置までガイドするガイド部を有する枠体と、
を備えた画像形成装置において、
前記光学走査ユニットと前記枠体とのうちいずれか一方の部材に設けられ、前記光学走査ユニットの組付けの際に前記ガイド部によりガイドされる前記光学走査ユニットの移動方向に平行な方向に突出した凸部と、
他方の部材に設けられ、前記凸部に嵌合する嵌合穴と、
を備え、
前記光学走査ユニットが前記ガイド部によりガイドされながら前記移動方向に移動することで前記凸部と前記嵌合穴とが嵌合し、さらに前記光学走査ユニットが前記枠体の突き当て部に突き当たることで、前記光学走査ユニットが前記組付け位置で位置決めされ、前記組付け位置で位置決めされた前記光学走査ユニットと前記枠体とがネジにより締結されることで、前記光学走査ユニットが前記枠体に組付けられていることを特徴とする画像形成装置。
【請求項２】
前記ネジにより締結される前記光学走査ユニットと前記枠体とにおける締結部は、前記凸部と前記嵌合穴とが嵌合することで構成される嵌合部の近傍に配設されていることを特徴とする請求項１に記載の画像形成装置。
【請求項３】
前記凸部は、前記枠体に設けられており、
前記凸部の先端には、前記ネジのネジ穴が設けられていることを特徴とする請求項１に記載の画像形成装置。
【請求項４】
前記光学走査ユニットと前記枠体とは、１本のネジで締結されていることを特徴とする請求項１乃至３のいずれか１項に記載の画像形成装置。
【請求項５】
前記ネジの締結方向は、前記移動方向と同じ方向であることを特徴とする請求項１乃至４のいずれか１項に記載の画像形成装置。
【請求項６】
前記光学走査ユニットに設けられた前記凸部又は前記嵌合穴は、前記光学走査ユニットのうち前記移動方向の上流側の部分に位置していることを特徴とする請求項１乃至５のいずれか１項に記載の画像形成装置。
【請求項７】
前記ネジが、画像形成装置の外装部材を介して前記光学走査ユニットと前記枠体とを締結するように構成され、前記光学走査ユニット及び前記枠体と共に前記外装部材が前記ネジにより共締めされていることを特徴とする請求項１乃至６のいずれか１項に記載の画像形成装置。
【請求項８】
前記像担持体は複数並設されており、
前記移動方向は、複数の前記像担持体が並設されている並設方向と同じ方向であることを特徴とする請求項１乃至７のいずれか１項に記載の画像形成装置。
【発明の詳細な説明】
【技術分野】
【０００１】
本発明は、シート等の記録材上に画像を形成する機能を備えた画像形成装置に関する。
【背景技術】
【０００２】
従来より、複数の感光ドラムを一列に並べたインライン型の多色画像形成装置が知られている。インライン型の多色画像形成装置の場合、多色画像の色ずれを防ぐ観点から、感光ドラムと光学走査装置（光学走査ユニット）の相対位置精度、及び感光ドラムに対する光学走査装置から出射されたレーザ光の照射位置精度が非常に重要である。感光ドラムに対するレーザ光の照射位置精度が各感光ドラム上で異なると、各色の重ね合わせ精度がずれて、画像色ずれ等の画像不良を引き起こす可能性が高くなる。そのため、従来より光学走査装置は、以下に示すことにより、各感光ドラムに対応するレーザ光の照射位置を最適に調整している。それは、画像形成装置内部の所定の位置に精度良く位置決めする工夫が施されると共に、光学走査装置の各部品の寸法精度を厳しく規定したり、光学走査装置内部にある光学部品を位置調整することである。
この中でも、特に光学走査装置の画像形成装置への位置決め精度は厳しくする必要があり、インライン型の多色画像形成装置に用いられる光学走査装置の固定方法として、特許文献１では、次のような構成が開示されている。それは、光学走査装置を、支持部材に形成された突き当て部に押圧手段により弾性的に突き当てて保持する構成である。さらに光学走査装置は、画像形成装置に設けられたガイドに沿って所定の位置まで挿入される。光学走査装置の挿入過程の最後には、光学走査装置に設けた位置決め突起が本体フレームを一時的に乗り越えて、本体フレームに設けた位置決め穴に嵌められ、位置決めが行われる。その後、光学走査装置は、押圧手段により弾性的に支持部材に付勢され、付勢方向の移動量を規制する規制部材が、支持部材と光学走査装置を挟み込むように組付けられる。これにより、物流時の光学走査装置及び画像形成装置へのダメージを低減させることが可能となる。
【先行技術文献】
【特許文献】
【０００３】
【特許文献１】特開２０１０−０３６４４６号公報
【発明の概要】
【発明が解決しようとする課題】
【０００４】
しかしながら、上記従来例に係る光学走査装置では、光学走査装置を挿入する過程の最後に、光学走査装置に設けた位置決め突起が、本体フレームを一時的に乗り越えて、位置決め穴に嵌められなければならない。このため、このような光学走査装置を組付ける際には、光学走査装置を持ち上げたり、一部を基点にして回転させたりしなければならない。画像形成装置内において、光学走査装置を持ち上げたり回転させるためには、余分なスペースを設ける必要があり、画像形成装置全体の大型化が懸念される。
また、光学走査装置の余分なスペースを小さくするために、位置決め突起と本体フレームとの嵌合長さを短くする方法が考えられる。しかし、このような方法では、物流時に発生する衝撃等によって、本体フレームから位置決め突起が外れ、光学走査装置から出射されたレーザ光が感光ドラムに到達しない可能性や、照射位置がずれる可能性がある。そのため、従来例にあるような規制部材を新たに追加して、光学走査装置の位置決め用の突起の外れを防止することが必要となり、コストアップはもちろん、装置の複雑化による生産性の低下が発生することが懸念される。
【０００５】
本発明は上記事情に鑑みてなされたものであり、装置本体の複雑化による生産性の低下
や、装置本体の大型化を招くことなく、光学走査ユニットを高精度に保持することができ、色ずれの少ない高品質の画像が得られる画像形成装置を提供することを目的とする。
【課題を解決するための手段】
【０００６】
上記目的を達成するために本発明にあっては、
像担持体の表面に対してレーザ光を出射する光学走査ユニットと、
前記光学走査ユニットが位置決めされて組付けられる枠体であって、前記光学走査ユニットの組付けの際に前記光学走査ユニットを組付け位置までガイドするガイド部を有する枠体と、
を備えた画像形成装置において、
前記光学走査ユニットと前記枠体とのうちいずれか一方の部材に設けられ、前記光学走査ユニットの組付けの際に前記ガイド部によりガイドされる前記光学走査ユニットの移動方向に平行な方向に突出した凸部と、
他方の部材に設けられ、前記凸部に嵌合する嵌合穴と、
を備え、
前記光学走査ユニットが前記ガイド部によりガイドされながら前記移動方向に移動することで前記凸部と前記嵌合穴とが嵌合し、さらに前記光学走査ユニットが前記枠体の突き当て部に突き当たることで、前記光学走査ユニットが前記組付け位置で位置決めされ、前記組付け位置で位置決めされた前記光学走査ユニットと前記枠体とがネジにより締結されることで、前記光学走査ユニットが前記枠体に組付けられていることを特徴とする。
【発明の効果】
【０００７】
本発明によれば、装置本体の複雑化による生産性の低下や、装置本体の大型化を招くことなく、光学走査ユニットを高精度に保持することができ、色ずれの少ない高品質の画像が得られる画像形成装置を提供することが可能となる。
【図面の簡単な説明】
【０００８】
【図１】実施例１の画像形成装置の概略構成を示す断面図
【図２】実施例１の枠体について説明するための図
【図３】光学走査装置の奥側スキャナ支持部材への組付けについて説明するための図
【図４】実施例１の光学走査装置の組付けについて説明するための図
【図５】実施例２の光学走査装置の組付けについて説明するための図
【図６】実施例３の光学走査装置の組付けについて説明するための図
【図７】実施例４の光学走査装置の組付けについて説明するための図
【発明を実施するための形態】
【０００９】
以下に図面を参照して、この発明を実施するための形態を例示的に詳しく説明する。ただし、この実施の形態に記載されている構成部品の寸法、材質、形状それらの相対配置などは、発明が適用される装置の構成や各種条件により適宜変更されるべきものであり、この発明の範囲を以下の実施の形態に限定する趣旨のものではない。
本発明はカラーレーザプリンタやデジタル複写機等の電子写真方式を用いた画像形成装置に関し、更に詳しくは光源からのレーザ光を偏向して像担持体上を露光走査する光学走査ユニットの装置本体（枠体）への組付け（取付け、装着）に関するものである。
【実施例１】
【００１０】
以下に、実施例１について説明する。
（画像形成装置）
図１は、本実施例の画像形成装置の概略構成を示す断面図である。画像形成装置は、パソコン・イメージリーダ・ファクシミリ装置等の外部ホスト装置から入力される電気的画像信号に基づいて、記録材（例えば、用紙、ＯＨＰシート、ラベル等）に対する画像形成
を実行する。本実施例では、画像形成装置として、電子写真プロセスを用いた４色フルカラーのレーザプリンタ（カラー電子写真画像形成装置）について説明する。
【００１１】
本実施例の画像形成装置１００の装置本体Ａの内側には、第１〜第４の４つのプロセスカートリッジ（以下、カートリッジ）ＰＹ・ＰＭ・ＰＣ・ＰＫが水平方向に対して所定の角度を持って略直線的に配列（並設）されている（インライン構成、タンデム型）。各カートリッジＰは、収容させた現像剤（トナー）の色が異なるだけで、互いに同様の構成のものである。本実施例の各カートリッジＰは、それぞれ、潜像が形成される像担持体としての電子写真感光ドラム（以下、ドラム）１Ｙ・１Ｍ・１Ｃ・１Ｋを有する。また、ドラム１Ｙ・１Ｍ・１Ｃ・１Ｋに作用するプロセス手段としての帯電手段（３Ｙ、３Ｍ、３Ｃ、３Ｋ）・現像手段（４Ｙ、４Ｍ、４Ｃ、４Ｋ）・クリーニング手段（不図示）を有する。そして、それらがカートリッジ枠体に一体的に組付けられている。第１のカートリッジＰＹは、イエロー色（Ｙ色）の現像剤を収容しており、ドラム１Ｙの表面にＹ色の現像剤像を形成する。第２のカートリッジＰＭは、マゼンタ色（Ｍ色）の現像剤を収容しており、ドラム１Ｍの表面にＭ色の現像剤像を形成する。第３のカートリッジＰＣは、シアン色（Ｃ色）の現像剤を収容しており、ドラム１Ｃ面にＣ色の現像剤像を形成する。第４のカートリッジＰＫは、ブラック色（Ｋ色）のトナーを収容しており、ドラム１Ｋの表面にＫ色の現像剤像を形成する。
【００１２】
カートリッジＰＹ・ＰＭ・ＰＣ・ＰＫの下方部には、光学走査装置（光学走査ユニット）５が配設されている。光学走査装置５は、組付け時に、装置本体Ａに対して図中Ｘ方向に挿入されるように構成されており、その挿入口である開口部３１が装置本体Ａに設けられている。そして、光学走査装置５は、外部ホスト装置から入力される各色の画像情報に対応して変調した光ビームを出力する（レーザ光を出射する）。そして、光ビームＬＹ・ＬＭ・ＬＣ・ＬＫは、カートリッジ枠体の下面に設けられた露光窓を通過して、各カートリッジＰのドラム１の表面を走査露光する。カートリッジＰＹ・ＰＭ・ＰＣ・ＰＫの上方部には、中間転写ベルト１２が配設されている。各カートリッジＰの有するドラム１Ｙ・１Ｍ・１Ｃ・１Ｋは、その上面が、中間転写ベルト１２に接している。このように、ドラム１は、中間転写ベルト１２のベルト面に沿って複数並設（配列）されている。
また、光学走査装置５の下方部には給送トレイ１１が配設され、装置本体Ａ内の上方には、定着装置１６と、排出ローラ対１７が配設されている。装置本体Ａの上面は排出トレイ１８を構成している。
【００１３】
次に、図１を用いて、フルカラー画像を形成するための動作について説明する。
第１〜第４の各カートリッジＰＹ・ＰＭ・ＰＣ・ＰＫにおいてドラム１Ｙ・１Ｍ・１Ｃ・１Ｋが図１で時計方向に所定の制御速度で回転駆動される。中間転写ベルト１２は図１で反時計方向（ドラム回転に順方向）にドラム１Ｙ・１Ｍ・１Ｃ・１Ｋの速度に対応した速度で回転駆動される。このとき、光学走査装置５も駆動される。この駆動に同期して、各カートリッジＰＹ・ＰＭ・ＰＣ・ＰＫにおいてそれぞれ所定の制御タイミングで帯電ローラ３Ｙ・３Ｍ・３Ｃ・３Ｋがドラム１Ｙ・１Ｍ・１Ｃ・１Ｋの表面を所定の極性・電位に一様に帯電する。光学走査装置５は各ドラム１Ｙ・１Ｍ・１Ｃ・１Ｋの表面を各色の画像信号に応じて変調された光ビームＬＹ・ＬＭ・ＬＣ・ＬＫで走査露光する。これにより、各ドラム１Ｙ・１Ｍ・１Ｃ・１Ｋの表面に対応色の画像信号に応じた静電潜像が形成される。形成された静電潜像が現像ローラ４Ｙ・４Ｍ・４Ｃ・４Ｋにより現像剤像として現像される。
【００１４】
上記のような電子写真画像形成プロセス動作により、第１のカートリッジＰＹのドラム１Ｙにはフルカラー画像のイエロー成分に対応するＹ色現像剤像が形成される。そして、その現像剤像が中間転写ベルト１２上に一次転写される。第２のカートリッジＰＭのドラム１Ｍにはフルカラー画像のマゼンタ成分に対応するＭ色の現像剤像が形成される。その
現像剤像が、中間転写ベルト１２上にすでに転写されているＹ色の現像剤像に重畳されて一次転写される。第３のカートリッジＰＣのドラム１Ｃにはフルカラー画像のシアン成分に対応するＣ色の現像剤像が形成され、その現像剤像が、中間転写ベルト１２上にすでに転写されているＹ色＋Ｍ色の現像剤像に重畳されて一次転写される。第４のカートリッジＰＫのドラム１Ｋにはフルカラー画像のブラック成分に対応するＫ色の現像剤像が形成される。そして、その現像剤像が、中間転写ベルト１２上にすでに転写されているＹ色＋Ｍ色＋Ｃ色の現像剤像に重畳されて一次転写される。このようにして、中間転写ベルト１２上にＹ色＋Ｍ色＋Ｃ色＋Ｋ色の４色フルカラーの未定着現像剤像が合成形成される。
【００１５】
一方、所定の制御タイミングで給送ローラ１３が駆動され、記録材Ｓが１枚分離給送される。そして、記録材Ｓは、二次転写ローラ１５と中間転写ベルト１２との間に形成されたニップ部（二次転写ニップ部）に導入される。これにより、記録材Ｓが二次転写ニップ部で挟持搬送されていく過程で、中間転写ベルト１２上の４色重畳の現像剤像が記録材Ｓの面に順次に一括転写される。４色重畳の現像剤像が転写された記録材Ｓは、定着装置１６へ導入され、定着ニップ部で加熱・加圧される。これにより、各色現像剤像の混色及び記録材Ｓへの定着がなされる。そして、定着装置１６で現像剤像が定着された記録材Ｓは、フルカラー画像形成物として排出ローラ対１７で排出トレイ１８上に排出される。
【００１６】
（光学走査装置の組付け）
次に、画像形成装置１００の内部構造体である枠体Ｂについて、図２（ａ）を用いて説明する。
ここで、本実施例の説明において、画像形成装置１００の前側又は正面側とは、画像形成装置１００（装置本体Ａ）に対して、カートリッジＰを挿抜（着脱）する側であって、図１，２（ａ）に示す矢印Ｆ方向の下流側と定義する。後側とはそれとは反対側である。また左側及び右側とは、装置本体Ａを前側から見て左または右である。左右方向とは、左から右に向かう方向（右方向）と、その逆の方向（左方向）である。前後方向とは、装置本体Ａの後側から前側に向かう方向（前方向）と、その逆の方向（後方向）である。
【００１７】
装置本体Ａは、前側に位置する前側板２０、後側に位置する後側板２１を備えており、これら前後側板２０，２１の間には、本体支持部材２２，２３，２４，２５，２６，２７及びスキャナ支持部材２８，２９が設けられている。
これら前後側板２０，２１と、本体支持部材２２，２３，２４，２５，２６，２７及びスキャナ支持部材２８，２９が互いにビスにより締結されることで枠体Ｂが形成されている。
そして、装置本体Ａ（枠体Ｂ）においては、前側の開口部３０から４つのカートリッジＰＹ・ＰＭ・ＰＣ・ＰＫを挿抜することができる（矢印Ｆ方向に抜き出される）。また、光学走査装置５は、左側の開口部３１から挿抜可能に構成されている。
具体的には、光学走査装置５は、装置本体Ａの左側の側面に設けられた画像形成装置１００の本体外装（外装部材）を外すことで露出される装置本体Ａの左側に形成された開口部３１より挿抜するものである。なお、開口部３１は、光学走査装置５の挿抜が容易に行える程度の大きさを有しているものとする。
【００１８】
上述したように、画像色ずれ等の画像不良を低減させるためには、光学走査装置５とドラム１Ｙ・１Ｍ・１Ｃ・１Ｋとの相対位置関係が重要になる。そのため、光学走査装置５の装置本体Ａへの組付け作業において、光学走査装置５を所定の組付け位置に精度良く位置決めする必要がある。また、物流時の振動や落下の際に光学走査装置５の位置ずれが生じないようにする必要がある。
【００１９】
以下、本実施例の光学走査装置５の支持方法について、図２（ｂ）を用いて説明する。図２（ｂ）は、光学走査装置５とスキャナ支持部材２８，２９との関係を示したものであ
り、装置本体Ａから光学走査装置５とスキャナ支持部材２８，２９とを抜粋し、光学走査装置５をスキャナ支持部材２８，２９に組付ける前の状態を示した概略図である。
装置本体Ａ内には、光学走査装置５を支持する支持部材として、光学走査装置５の挿抜方向奥側（本体右側）に位置する奥側スキャナ支持部材２８、挿抜方向手前側（本体左側）に位置する手前側スキャナ支持部材２９が設けられている。奥側スキャナ支持部材２８、及び手前側スキャナ支持部材２９の両端部は、それぞれ前側板２０と後側板２１にビスにより締結されており、光学走査装置５は、これら２つの支持部材に位置決めされて組付けられることで、支持されている。
また装置本体Ａには、光学走査装置５を挿抜する際の案内となるガイド部材（ガイドレール）４１，４２が設けられており、光学走査装置５は開口部３１側からガイド部材４１，４２に案内されて装置本体Ａ内に挿入（装着）される。ここで、ガイド部材４１，４２は、光学走査装置５の組付けの際に光学走査装置５を所定の組付け位置までガイドするガイド部に相当する。
【００２０】
次に、光学走査装置５を挿抜する状態について説明する。
光学走査装置５の筐体５ａには、ガイド部材４１，４２に対向する位置に、断面コの字形状の溝部５ｂ，５ｃが形成されている。
光学走査装置５の挿抜動作は、作業者が保持部５ｉを保持して、溝部５ｂ，５ｃをガイド部材４１，４２に嵌めることで行われる。溝部５ｂ，５ｃがガイド部材４１，４２に嵌まることにより、ガイド部材４１，４２の上端面と溝部５ｂ，５ｃの底面とが接触して、挿抜動作における光学走査装置５の本体左右方向（図中Ｙ方向）及び鉛直下方向（図中Ｚ方向）を規制することができる。
【００２１】
この状態で光学走査装置５を挿入すると、光学走査装置５はガイド部材４１，４２に沿って移動し、奥側スキャナ支持部材２８に設けられた支持穴２８ｄ，２８ｅに対して、光学走査装置５に設けられた奥側支持突起５ｄ，５ｅが組付けられる。組付けられた状態を図３に示す。また、光学走査装置５に設けられた奥側位置決め突起５ｆは、先端がテーパ形状になっており、このテーパ形状の部分が奥側位置決め穴２８ｆから外れないように嵌合され、光学走査装置５の挿入方向（図中Ｘ方向）に対して直交方向（図中Ｙ方向）を位置決めする。ここで、光学走査装置５の挿入方向（図中Ｘ方向）は、光学走査装置５の組付けの際にガイド部材４１，４２によりガイドされる光学走査装置５の移動方向に相当する。本実施例では、この挿入方向は、ドラム１が複数並設されている並設方向と同じ方向としている。光学走査装置５の挿入方向は、カートリッジＰの挿抜方向と平行としてもよいが、本実施例のような構成とすることで、挿抜のための開口部を開けることによる枠体Ｂの強度低下を抑えることができ、画像形成装置を小型化することができる。
【００２２】
光学走査装置５の固定は、弾性部材によって行われる。図３に示すように、装置本体Ａに設けられた奥側スキャナ支持部材２８には、支持穴２８ｄ，２８ｅが形成されており、奥側付勢バネ３２が支持穴２８ｄ，２８ｅの上部を塞ぐようにバネ掛け部３３ｄ〜３５ｄ，３３ｅ〜３５ｅにそれぞれ掛けられている。
光学走査装置５の装着時には、光学走査装置５に設けられた奥側支持突起５ｄ，５ｅが、装置本体Ａに設けられた奥側付勢バネ３２を押し上げてそれぞれ支持穴２８ｄ，２８ｅに嵌合する。この際、奥側付勢バネ３２の付勢により、奥側支持突起５ｄ，５ｅの下端が支持穴２８ｄ，２８ｅの下端に突き当てられることで、光学走査装置５の奥側の上下方向（図中Ｚ方向）の位置が決められている。
【００２３】
図４は、光学走査装置５の手前側スキャナ支持部材２９への組付けについて説明するための概略図である。図４（ａ）は斜視図（説明の便宜上、光学走査装置５と手前側スキャナ支持部材２９とを離間した状態としている）、図４（ｂ）は断面図（説明の便宜上、光学走査装置５と手前側スキャナ支持部材２９とが固定された状態としている）である。
【００２４】
本実施例においては、光学走査装置５の挿入作業の最後に、手前側スキャナ支持部材２９に設けられた嵌合穴（孔）としての位置決め穴２９ａに対して、光学走査装置５に設けられた凸部としての位置決めピン５ｇを嵌合させている。このとき、光学走査装置５がガイド部材４１，４２によりガイドされながら挿入方向（図中Ｘ方向）に移動することで、位置決め穴２９ａに位置決めピン５ｇが嵌合するように構成されている。ここで、位置決めピン５ｇは、カートリッジの配列方向（光学走査装置５の挿入方向、図中Ｘ方向）と略平行に突出している。
これにより、光学走査装置５は画像形成装置内の前後方向（図中Ｙ方向）と鉛直方向（図中Ｚ方向）とを位置決めされる。
【００２５】
ここで、本実施例では、図４に示すように、光学走査装置５に設けられた位置決めピン５ｇは、光学走査装置５のうち挿入方向（図中Ｘ方向）の上流側の部分に位置するように構成されている。位置決めピン５ｇと位置決め穴２９ａで構成される嵌合部の位置は、特に限定されるものでないが、位置決めピン５ｇが、光学走査装置５のうち挿入方向の上流側に位置することで、光学走査装置５の組付け作業の作業性を向上させることができる。
【００２６】
さらに、位置決め穴２９ａに位置決めピン５ｇが嵌合した状態で、手前側スキャナ支持部材２９に設けられた突き当て部２９ｂに光学走査装置５が突き当たるまで、光学走査装置５を挿入方向（図中Ｘ方向）に移動させる。光学走査装置５が突き当て部２９ｂに突き当たることで、光学走査装置５の挿入方向（図中Ｘ方向）が位置決めされる。
このようにして、奥側スキャナ支持部材２８及び手前側スキャナ支持部材２９を用いて装置本体Ａに対して所定の組付け位置で位置決めされた光学走査装置５は、ビス（ネジ、締結部材）４４を用いて装置本体Ａに締結され組付けられる。
【００２７】
ここで、位置決めピン５ｇと位置決め穴２９ａとの嵌合部の近傍には、ビス４４の締結部４３が設けられている。手前側スキャナ支持部材２９に設けられたビス締結部４３においては、光学走査装置５に設けられた挿通穴５ｈを挿通して、手前側スキャナ支持部材２９に設けられたビス穴（ネジ穴）２９ｃにビス４４が締結される。
これにより、光学走査装置５は手前側スキャナ支持部材２９、すなわち装置本体Ａに固定される。
また、本実施例では、ビス４４の締結方向を、光学走査装置５の挿入方向（図中Ｘ方向）と同じ方向に設定している。ビス４４の締結方向は、特に限定されるものではないが、光学走査装置５の挿入方向（図中Ｘ方向）と同じ方向にすることで、光学走査装置５の組付け作業の作業性を向上させることができる。
【００２８】
以上のように本実施例によれば、装置本体Ａに対して光学走査装置５を容易に挿抜することができる。そして、光学走査装置５を組付ける際に、光学走査装置５を持ち上げたり回転させることがないので、持ち上げたり回転させるための余分なスペースを設けておく必要がなくなり、画像形成装置１００を小型化することが可能となる。
また、光学走査装置５をビス４４で固定することにより、光学走査装置５と装置本体Ａとの固定を強固にすることができるので、物流時に光学走査装置５に衝撃が加わるような場合でも、装置本体Ａに対する光学走査装置５の姿勢が変化してしまうことを防止できる。このように、構成を複雑化することなく簡易な構成で光学走査装置５を装置本体Ａに強固に固定できるので、装置本体Ａの複雑化による生産性の低下を防止することができる。
さらに本実施例では、光学走査装置５の固定に使用するビス４４の本数を最少本数である１本とし、光学走査装置５の位置決め部の近傍にビスの締結部４３を設けている。ビス４４の本数は特に限定されるものではないが、より少なく、好ましくは１本とし、光学走査装置５の位置決め部のより近くにビスの締結部４３を配置することで、ビス締結時に発生する応力（ビストルク）の影響を最小限にすることができる。
したがって、装置本体の複雑化による生産性の低下や、装置本体の大型化を招くことなく、光学走査装置５を高精度に保持することができ、色ずれの少ない高品質の画像が得られる画像形成装置１００が得られる。
【００２９】
ここで、本実施例では、嵌合穴としての位置決め穴２９ａは手前側スキャナ支持部材２９に設けられ、凸部としての位置決めピン５ｇは光学走査装置５に設けられるものであったが、これに限るものではない。すなわち、手前側スキャナ支持部材２９と光学走査装置５のうちいずれか一方の部材に凸部が設けられ、この凸部に嵌合する嵌合穴が他方の部材に設けられるものであればよい。
【実施例２】
【００３０】
以下に、実施例２に係る画像形成装置について説明する。なお、画像形成装置の構成、光学走査装置の挿抜方向、その位置決めは実施例１と同様であるのでその説明は省略し、ここでは実施例１と異なる構成についてのみ説明を行う。
図５は、光学走査装置５５の手前側スキャナ支持部材５９への組付けについて説明するための概略図である。図５（ａ）は斜視図（説明の便宜上、光学走査装置５５と手前側スキャナ支持部材５９とを離間した状態としている）、図５（ｂ）は断面図（説明の便宜上、光学走査装置５５と手前側スキャナ支持部材５９とが固定された状態としている）である。
【００３１】
まず、光学走査装置５５を装置本体Ａに装着する前に、位置決め部材４５を手前側スキャナ支持部材５９に組付ける。位置決め部材４５の一端４５ａと手前側スキャナ支持部材５９に設けられた位置決め穴５９ａとは嵌合により位置決め固定される。これにより、位置決め部材４５は手前側スキャナ支持部材５９の一部を構成する。
さらに、位置決め部材４５の他端側４５ｂは、光学走査装置５５の位置決め穴５５ｈに対して嵌合され、位置決めされている。また、位置決め部材４５の他端（先端）側４５ｂには光学走査装置５５を固定するためのビス４６を取付けるためのビス穴４７が設けられている。位置決め部材４５、手前側スキャナ支持部材５９の位置決め穴５９ａ、及び光学走査装置５５の位置決め穴５５ｈは、それぞれが同軸Ｃ上に設けられており、ビス４６の締結方向は、光学走査装置５５の挿入方向（図中Ｘ方向）と略平行な方向から行われる。
【００３２】
本実施例によれば、光学走査装置５５の位置決め部とビス４６の締結部とを同軸に設けているので、ビス締結時に発生するトルクの影響をより低減することができ、光学走査装置５５の組付け時にその姿勢が変化してしまうことを防止することができる。
ここで、本実施例では、光学走査装置５５の位置決め部とビス４６の締結部とを同軸に設けているが、これに限るものではない。すなわち、位置決め部材４５の他端側４５ｂに、ビス４６のビス穴４７が設けられるものであればよい。このような構成により、ビス締結時に発生するトルクの影響をより低減することができる。
【実施例３】
【００３３】
以下に、実施例３に係る画像形成装置について説明する。なお、画像形成装置の構成、光学走査装置の挿抜方向、その位置決めは実施例１，２と同様であるのでその説明は省略し、ここでは実施例１，２と異なる構成についてのみ説明を行う。
図６は、光学走査装置６５の支持部材６９への組付けについて説明するための概略図である。ここで、支持部材６９は実施例１で図２に示した本体支持部材２４に相当するものであるが、曲げ部６０が設けられていることが本実施例の特徴である。
図６（ａ）は斜視図（説明の便宜上、光学走査装置６５と支持部材６９とを離間した状態としている）、図６（ｂ）は断面図（説明の便宜上、光学走査装置５５と支持部材６９とが固定された状態としている）である。
【００３４】
光学走査装置６５を装置本体Ａに装着する際、まず光学走査装置６５に設けられた位置決めピン６５ｇを、支持部材６９に設けられた位置決め穴６９ａに嵌合させる。本実施例では、支持部材６９に位置決め穴６９ａを設けるために、支持部材６９の一部を曲げ加工して曲げ部６０を設けている。曲げ部６０は、カートリッジの挿抜作業の邪魔にならないように、図中Ｚ方向の高さを最適化している。
そして、位置決め穴６９ａに対する位置決めピン６５ｇの嵌合動作が、光学走査装置６５の挿入方向（図中Ｘ方向）と略平行な方向から行われた後、支持部材６９のうち位置決め穴６９ａ近傍に設けられたビス穴６３にビス６７が締結される。これにより、光学走査装置６５が装置本体Ａに固定される。
【００３５】
本実施例によれば、光学走査装置６５の位置決め部が支持部材６９に設けられているので、実施例１で説明した手前側スキャナ支持部材のような別部材を設ける必要がなく、部品点数の削減によるコストダウンが可能となる。
【実施例４】
【００３６】
以下に、実施例４に係る画像形成装置について説明する。なお、画像形成装置の構成、光学走査装置の挿抜方向、その位置決めは実施例１〜３と同様であるのでその説明は省略し、ここでは実施例１〜３と異なる構成についてのみ説明を行う。
図７は、光学走査装置７５が装置本体Ａ内の所定の位置に装着されている時の左側の様子を示す概略断面図である。
【００３７】
光学走査装置７５を装置本体Ａに装着する際は、実施例１と同様に、まず光学走査装置７５に設けられた位置決めピン７５ｇを手前側スキャナ支持部材７９に設けられた位置決め穴７９ａに嵌合させる。位置決め穴７９ａに対する位置決めピン７５ｇの嵌合動作は、光学走査装置７５の挿入方向（図中Ｘ方向）と略平行な方向から行われる。
光学走査装置７５は、位置決めピン７５ｇと位置決め穴７９ａとが嵌合した状態では装置本体Ａ内に保持されており、その状態で、画像形成装置１００の本体外装（外装部材）７０が組付けられる。
そして、本実施例においては、手前側スキャナ支持部材７９と光学走査装置７５に加えて本体外装７０をビス７１により共締めすることによって、光学走査装置７５を固定している。このとき、ビス７１は、本体外装７０の外側から、光学走査装置５５の挿入方向（図中Ｘ方向）に向かって行われる。
ここで、図７では、本体外装７０に設けられた絞り形状部に対してビス７１が締結されており、ビス７１の頭が本体外装７０よりも突出した構成となっている。これに対して、ユーザがビス７１に直接触れることを防止するため、ビス７１を覆うようにカバー部材が設けられていてもよい。
【００３８】
本実施例では、光学走査装置７５を固定するのに、本体外装７０の外側から光学走査装置７５と本体外装７０とをビス７１を用いて共締めしている。このとき、ビス締結時に発生するビストルクによって生じる連れ回り応力は、本体外装７０に対して作用するものの、光学走査装置７５への該応力の作用は、本体外装７０を共締めしない場合よりも低減することとなる。したがって、光学走査装置７５の組付け時にその姿勢が変化してしまうことを防止することができる。
【符号の説明】
【００３９】
１…ドラム、５…光学走査装置、５ｇ…位置決めピン、２９ａ…位置決め穴、２９ｂ…突き当て部、４１，４２…ガイド部材、４４…ビス、１００…画像形成装置、Ｂ…枠体
【図１】
2014119540.tif 000003
【図２】
2014119540.tif 000004
【図３】
2014119540.tif 000005
【図４】
2014119540.tif 000006
【図５】
2014119540.tif 000007
【図６】
2014119540.tif 000008
【図７】
2014119540.tif 000009